(57)【要約】    【課題】  スウィングドアを回動（閉動作）した際にスウィングドアとドア枠の間に指を挟まないスウィングドアの指挟み防止装置を提供すること。    【解決手段】  スウィングドア１の戸先に設けられスウィングドア１の回動に伴い遠心方向に突出する振り子軸２０と、振り子軸２０に設けられスウィングドア１とドア枠２の間にスペースを確保するストッパー当接部４０と、振り子軸２０は遠心力が作用していない場合、自重により自動で収納される。【選択図】  図１
2009235859.tif 000002
【特許請求の範囲】
【請求項１】
スウィングドアの戸先に設けられ前記スウィングドアの回動に伴い遠心方向に突出する突出部材と、
前記突出部材に設けられ前記スウィングドアと前記ドア枠の間にスペースを確保するストッパー当接部と、
前記突出部材は遠心力が作用していない場合、自重又は付勢部材のいずれかにより自動で収納される収納機構と、を備えるスウィングドアの指挟み防止装置。
【請求項２】
前記スウィングドアの回動速度に応じて前記突出部材の突出を調整する突出調整機構を備える、ことを特徴とする請求項１に記載のスウィングドアの指挟み防止装置。
【請求項３】
前記ストッパー当接部は、前記スウィングドアと前記ドア枠の間のスペースを調整するスペース調整機構を備える、ことを特徴とする請求項１又は請求項２のいずれかに記載のスウィングドアの指挟み防止装置。
【請求項４】
前記ストッパー当接部は、前記ドア枠と当接する位置に緩衝部材を備える、ことを特徴とする請求項１乃至３の少なくともいずれか一項に記載のスウィングドアの指挟み防止装置。
【発明の詳細な説明】
【技術分野】
【０００１】
本発明は、スウィングドアに設けられた指挟み防止装置に関する。
【背景技術】
【０００２】
従来技術として、ドア本体の両側面の少なくとも一方の側面に切り欠きを形成し、当該切り欠きに中空状の弾性体を付設し、この開き戸の閉止時に壁に接触するよう指があるとこの壁とドア本体に指が挟まれるが、前記弾性体が変形して衝撃を吸収して指の損傷を回避する（例えば、特許文献１参照。）。
【０００３】
また、ドアの枢支側と取手側の少なくとも一方の端部に、弾性部材で付勢支持された硬質移動部材が加圧時に後退移動可能に取り付けられており、該硬質移動部材の取り付けられているドアの端部と対向するドア枠の端部に、弾性部材で付勢支持された硬質移動部材が加圧時に後退移動可能に取り付けられている開き戸式のドアの指挟み防止装置がある（例えば、特許文献２参照。）。
【特許文献１】特開２００７−０６３７７６号公報
【特許文献２】実用新案登録第３１１３２３５号公報
【発明の開示】
【発明が解決しようとする課題】
【０００４】
しかしながら、従来技術では、指などが挟まれた場合、効果を奏するものであり、ドアの回動速度（閉動作）や弾性体の反発抵抗力の度合いによっては、怪我をする恐れがある。また、弾性部材が許容する侵入物の物理的大きさ（例えば、指より太い手のひら、手首等）を超えた傷害物の浸入に対して効果が得られない問題がある。
【０００５】
本発明は上記問題点に鑑みてなされたものであり、スウィングドアを回動（閉動作）した際にスウィングドアとドア枠の間に指を挟まれないスウィングドアの指挟み防止装置を提供することを目的とする。
【課題を解決するための手段】
【０００６】
上記課題を解決するため、請求項１に記載の発明は、スウィングドアの戸先に設けられ前記スウィングドアの回動に伴い遠心方向に突出する突出部材と、前記突出部材に設けられ前記スウィングドアと前記ドア枠の間にスペースを確保するストッパー当接部と、前記突出部材は遠心力が作用していない場合、自重又は付勢部材のいずれかにより自動で収納される収納機構と、を備える。
【０００７】
また、請求項２に記載の発明は、前記スウィングドアの回動速度に応じて前記突出部材の突出を調整する突出調整機構を備える。
【０００８】
また、請求項３に記載の発明は、前記ストッパー当接部は、前記スウィングドアと前記ドア枠の間のスペースを調整するスペース調整機構を備える。
【０００９】
また、請求項４に記載の発明は、前記ストッパー当接部は、前記ドア枠と当接する位置に緩衝部材を備える。
【発明の効果】
【００１０】
請求項１に記載の発明では、スウィングドアの回動に伴い遠心方向に突出部材が自動的に突出して、スウィングドアとドア枠の間に挟み込み防止用のスペースを確保するため、安全性が向上する。
【００１１】
また、請求項２に記載の発明では、スウィングドアの回動速度に応じて突出部材の突出を調整する突出調整機構を備えるため、ユーザーの使用形態、スウィングドアの種類に応じて突出部材の突出を適切に調整し作動させることができ、安全性が向上し、また汎用性も高まる。
【００１２】
また、請求項３に記載の発明では、ストッパー当接部はスウィングドアとドア枠の間のスペースを調整するスペース調整機構を備えるため、対象物（例えば、指より太い手のひら、手首等）の大きさを考慮してスペースを確保することができ、安全性が向上する。
【００１３】
また、請求項４に記載の発明では、ストッパー当接部はドア枠と当接する位置に緩衝部材を備えるため、ストッパー機能が働いた場合の衝撃音を低減する。
【発明を実施するための最良の形態】
【００１４】
以下に本発明の実施形態を図面を参照しつつ詳細に説明する。
【００１５】
（第１実施例）
図１は、本発明の第１実施例の振り子式指挟み防止装置１０（指挟み防止装置）の配置を示す図である。スウィングドア１の戸先には、振り子式指挟み防止装置１０が回動自在に固定されている。
【００１６】
図２は、振り子式指挟み防止装置１０の（ａ）平面図と（ｂ）側面図である。振り子式指挟み防止装置１０は、振り子軸２０（突出部材）がスウィングドア１の速い回動による遠心力に反応してドア枠２と接触する様に遠心方向に回動（移動）する事で、指を挟まないスペースを確保する。振り子軸２０は回転中心をＴ型ブッシュ２１にてクリアランスを設けながらボルト２２にてスウィングドア１０に固定されている。本構成では、静止時は自重により約垂直状態で保持され（収納機構）、スウィングドア１の閉速度が一定速度以上になると、遠心力によりスウィングドア１の外側に回動する。位置決めピン３は、振り子軸２０の回動方向を一方向のみに規制する。また、振り子軸２０の回動先端には、ストッパー本体３０がスクリュー３２（突出調整機構）にて固定されており、ストッパー本体３０の固定位置を変えることにより図中「Ｌ寸法」が変わり、結果的に回転モーメントが変わるので、振り子軸２０の反応速度を調整することができる。
【００１７】
次に指挟み防止スペースの調整方法について説明する。ストッパー本体３０には、雌ネジ３１（スペース調整機構）が成形されており、ストッパー当接部４０の雄ネジ４１と係合する。ストッパー当接部４０を回動調整することで図中の寸法ａ１、ａ２を変えることができる（図中のａ１〜ａ２がスペース調整範囲）。また、ストッパー当接部４０のドア枠２と当接する位置には、ゴム製のクッション材４２（緩衝部材）が固着されており、ストッパー機能が働いた場合の衝撃音を防止する。
【００１８】
（第２実施例）
図３は、本発明の第２実施例のバネ式指挟み防止装置５０（指挟み防止装置）の配置を示す図である。スウィングドア１の戸先には、バネ式指挟み防止装置５０が固定されている。
【００１９】
図４では、べースプレート６０とカバープレート６１の組み付け分解斜視図である。ベースプレート６０は、直進バー７０の摺動抵抗を低減すべく直進運動の補助材６４を配置（本事例では、ローラ６５と軸ピン６６で示すが、市販品のベアリングや低摩擦係数のシート状部品でもよい）し、固定ボルト６７（図５）にてカバープレート６１と合わせてスウィングドア１に固定される。カバープレート６１に形成された挿入孔６２に直進バー７０の先端７２が挿通される。抜け止方法として、ストロークストッパー９１（突出調整機構）まで挿通された後で、スクリュー９０（突出調整機構）で固定される。
【００２０】
図５は、バネ式指挟み防止装置５０の（ａ）平面図と（ｂ）側面図である。バネ式指挟み防止装置５０は、構成部品の直進バー７０がスウィングドア１の速い回動による遠心力に反応してドア枠２と接触する様に遠心方向に直進移動する事で、指を挟まないスペースを確保する。
【００２１】
直進バー７０の先端７２には、付勢スプリング９３の係止用孔付きスクリュー９２（突出調整機構）がネジ止めされている。また、直進バー７０の先端７２の延長には、同じく付勢スプリング９３（付勢部材）の係止用孔部６３がベースプレート６０に形成されている。係止用孔付きスクリュー９２と係止用孔部６３の２つに付勢スプリング９３が係止され、直進バー７０をＺ方向に付勢するので、通常のスウィングドア１の回動速度では、ストッパー当接部８０は格納状態を保つ（収納機構）。
【００２２】
係止用孔付きスクリュー９２の締め込み量（Ｙ長さ）を調整する事で、付勢スプリング９３付勢力（Ｚ方向）を調整できる。よって指挟み防止機能が働く反応速度を調整できる。
【００２３】
バネ式指挟み防止装置５０の指挟み防止スペースの調整方法について説明する。直進バー７０の他端７３には、雌ネジ７１（スペース調整機構）が設けられており、ストッパー当接部８０の雄ネジ８１（スペース調整機構）が係合する。ストッパー当接部８０を回動調整することで図中の寸法ａ１、ａ２を変えることができる（図中のａ１〜ａ２がスペース調整範囲）。
【００２４】
また、ストッパー当接部８０のドア枠２と当接する位置には、ゴム製のクッション材８２（緩衝部材）が固着されており、ストッパー機能が働いた場合の衝撃音を防止する。
【００２５】
本発明では、スウィングドア１の回動に伴い遠心方向に自動的に振り子軸２０、直進バー７０が突出して、スウィングドア１とドア枠２の間に挟み込み防止用のスペースを確保するため、安全性が向上する。
【００２６】
また、スウィングドア１の回動速度に応じて振り子軸２０、直進バー７０の突出を調整することが可能なため、ユーザーの使用形態、スウィングドア１の種類に応じて振り子軸２０、直進バー７０の突出を適切に調整し作動させることができ、安全性が向上し、汎用性も高まる。
【００２７】
また、ストッパー当接部４０、８０はスウィングドア１とドア枠２の間のスペースが調整可能なため、対象物（例えば、指より太い手のひら、手首等）の大きさを考慮してスペースを確保することができ、安全性が向上する。
【００２８】
また、ストッパー当接部４０、８０はドア枠と当接する位置にクッション材４２、８２を備えるため、ストッパー機能が働いた場合の衝撃音を低減する。
【図面の簡単な説明】
【００２９】
【図１】本発明の第１実施例の振り子式指挟み防止装置の配置を示す図である。
【図２】振り子式指挟み防止装置の平面図と側面図である。
【図３】本発明の第２実施例のバネ式指挟み防止装置の配置を示す図である。
【図４】べースプレートとカバープレートの組み付け分解斜視図である。
【図５】バネ式指挟み防止装置の平面図と側面図である。
【符号の説明】
【００３０】
１  スウィングドア
２  ドア枠
１０  振り子式指挟み防止装置（挟み込み防止装置）
２０  振り子軸（突出部材）
３０  ストッパー本体
４０  ストッパー当接部
５０  バネ式指挟み防止装置（挟み込み防止装置）
７０  直進バー（突出部材）
８０  ストッパー当接部
【図１】
2009235859.tif 000003
【図２】
2009235859.tif 000004
【図３】
2009235859.tif 000005
【図４】
2009235859.tif 000006
【図５】
2009235859.tif 000007